(57)【要約】【課題】ヘアキャッチ機能を維持しつつ通水能力を維持できると共に、手を汚さずに手入れを簡単且つ清潔に行なうためのヌメリ取り機能を付加したヘアキャッチャーを提供すること。【解決手段】排水口に着脱自在に装着される枠体２と、枠体２の内側に張り巡らされた複数本のヘアキャッチ用の線材３と、各ヘアキャッチ用の線材３によって区画された複数の通水部５と、各ヘアキャッチ用の線材３にそれぞれ線材３の軸方向Ａに移動自在に遊嵌された複数の管状のビーズ片４とで構成されたヘアキャッチャー１である。【選択図】図１
2009052351.tif 000002
【特許請求の範囲】
【請求項１】
排水口に着脱自在に装着される枠体と、枠体の内側に張り巡らされた複数本のヘアキャッチ用の線材と、各ヘアキャッチ用の線材によって区画された複数の通水部と、各ヘアキャッチ用の線材にそれぞれ線材の軸方向に移動自在に遊嵌された複数の管状のビーズ片とで構成されていることを特徴とするヘアキャッチャー。
【請求項２】
上記管状のビーズ片は、水流により線材回りに回転するように構成されていることを特徴とする請求項１記載のヘアキャッチャー。
【発明の詳細な説明】
【技術分野】
【０００１】
本発明は、浴室等の排水口に取り付けられるヘアキャッチャーに関するものである。
【背景技術】
【０００２】
従来から、浴室の排水口に装着されるヘアキャッチャーに汚れや腐敗屑（以下、「ヌメリ」と略称する）が付着していると、排水能力が低下するだけでなく、腐敗が進行して悪臭を発する原因となる。そこで、定期的に水洗いなどにより手入れする必要があるが、ヌメリの除去は手を汚すなど大変非衛生的な作業となる。
【０００３】
そこで、従来から、多数の水抜き穴を有するヘアキャッチャーの表面にワイパー形状の摺動部材を取り付け、手入れ時には摺動部材を手で回すことによって表面に付着したヌメリを掻き取るようにしたヘアキャッチャーが知られている（例えば、特許文献１、特許文献２参照）。
【０００４】
しかしながら従来では、ヘアキャッチャーの手入れを行なう際に、摺動部材にヌメリやヘアが付着している場合があり、この摺動部材を手で回すときに手を汚すことがある。また、摺動部材を手で回しただけではヘアキャッチャーに付着しているしつこいヌメリや汚れ、ヘア等を完全に取り除くことが困難な場合があり、この場合はブラシ等で擦り洗いする必要があり、大変非衛生的な作業を強いられているのが現状である。
【特許文献１】特開２００７−４６４２３号公報
【特許文献２】特開平９−４００９号公報
【発明の開示】
【発明が解決しようとする課題】
【０００５】
本発明は上記の従来の問題点に鑑みて発明したものであって、ヘアキャッチ機能を維持しつつ通水能力を維持できると共に、手を汚さずに手入れを簡単且つ清潔に行なうためのヌメリ取り機能を付加したヘアキャッチャーを提供することを課題とするものである。
【課題を解決するための手段】
【０００６】
前記課題を解決するために本発明に係るヘアキャッチャーは、排水口８に着脱自在に装着される枠体２と、枠体２の内側に張り巡らされた複数本のヘアキャッチ用の線材３と、各ヘアキャッチ用の線材３によって区画された複数の通水部５と、各ヘアキャッチ用の線材３にそれぞれ線材３の軸方向Ａに移動自在に遊嵌された複数の管状のビーズ片４とで構成されていることを特徴としている。
【０００７】
このような構成とすることで、ヘアキャッチャー１の使用時には、枠体２の内側に張り巡らした複数本のヘアキャッチ用の線材３によって、排水中に含まれるヘアを捕捉しながら、線材３によって区画された複数の通水部５から排水を流し落とすことができる。また線材３にヌメリが付着した場合でも、排水時の水流によって線材３に遊嵌した管状のビーズ片４が線材３の軸方向Ａに移動することでヌメリを掻き落とされ、通水部５がヌメリによって詰まることがなくなるので、ヘアキャッチ機能を維持しつつ通水能力を維持できるようになる。一方、ヘアキャッチャー１を排水口８から取り外して手入れをするときは、各線材３に水流を当てて管状のビーズ片４を線材３の軸方向Ａに移動させるようにして水洗いするだけで、各線材３に付着したヘアをビーズ片４によって掻き落とすことができる。またこのときヘアキャッチャー１に対して水流の当たる方向を変えることで各ビーズ片４が移動してヘアを掻き落とすので、ビーズ片４を利用してヘア除去を簡単且つ清潔に行なえるようになる。
【０００８】
また、上記管状のビーズ片４は、水流により線材回りＢに回転するように構成されているのが好ましく、この場合、ヘアキャッチャー１の使用時には排水時の水流によって管状のビーズ片４は線材３の軸方向Ａに移動だけでなく線材回りＢにも回転するので、線材３に付着したヌメリ取りがより一層効率的に行なわれるようになり、一方、ヘアキャッチャー１の手入れをするときは、線材３に水を当ててビーズ片４を移動／回転させることで、線材３に付着したヘアをビーズ片４を利用してよりスムーズに洗い流せるようになる。
【発明の効果】
【０００９】
本発明に係るヘアキャッチャーは、枠体の内側に張り巡らした複数本のヘアキャッチ用の線材によって、排水中に含まれるヘアを捕捉しながら、線材によって区画された複数の通水部から排水を流し落とすことができると共に、線材に遊嵌した管状のビーズ片の線材の軸方向への移動によって線材に付着したヌメリを掻き落とすことができるので、ヘアキャッチ機能を維持しつつ通水能力を維持できるものである。一方、ヘアキャッチャーを手入れをするときは、各線材に水流を当ててビーズ片を線材の軸方向に移動させることにより、各線材に付着したヘアをビーズ片を利用して掻き落とすことができるので、手を汚さずにヘアキャッチャーの手入れを簡単且つ清潔に行なえるものである。
【発明を実施するための最良の形態】
【００１０】
以下、本発明を添付図面に示す実施形態に基いて説明する。
【００１１】
図１は本発明のヌメリ取り機能を付加したヘアキャッチャー１の一例を示す平面図であり、図２は上記ヘアキャッチャー１を排水口８に装着した状態の側面図であり、図３はヘアキャッチ用の線材３に管状のビーズ片４を遊嵌した状態の説明図である。
【００１２】
本実施形態のヘアキャッチャー１は、図１、図２に示すように、排水口８に着脱自在に装着される枠体２と、枠体２の内側に張り巡らされた複数本のヘアキャッチ用の線材３と、各線材３にそれぞれ線材３の軸方向Ａに移動自在に遊嵌された複数の管状のビーズ片４と、各線材３によって区画された複数の通水部５とで構成されている。
【００１３】
本例では、複数本のヘアキャッチ用の線材３は、円形状をした枠体２の中心部から外周部に向かって放射状に張り巡らされた放射状の線材３Ａと、枠体２の中心部を同心円として径の異なる大小複数のリング状の線材３Ｂとがそれぞれ交差するように張り巡らされており、このように張り巡らせた複数の線材３（３Ａ，３Ｂ）がそれぞれヘアキャッチ機能を有すると共に、これら線材３によって枠体２の開口部が複数の通水部５に区画されている。
【００１４】
上記各々の線材３には、それぞれ、ヌメリ取り用の複数個のビーズ片４が線材３の軸方向Ａに移動自在に且つ線材回りＢに回転自在に遊嵌されている。ビーズ片４の形状は、図３に示すように、中央に線材３より大径の貫通穴４ａが設けられた円管状の可動体で構成されている。ここでは、図１に示す放射状の線材３Ａ、及びリング状の線材３Ｂにそれぞれ複数個のビーズ片４が遊嵌されており、これら線材３Ａ，３Ｂの交差部分でビーズ片４のスライド移動が規制されることにより、複数のビーズ片４が1本の線材３上の１箇所に固まることがなく、1本の線材３上にほぼ等間隔をあけて位置するようになっている。これらのビーズ片４は、ヘアキャッチャー１の使用時においては排水時の水流によって移動／回転することで線材３に付着したヌメリを掻き落とす働きをし、一方、ヘアキャッチャー１を手入れするときには、水洗いによって線材３に捕捉されたヘアを掻き落とす働きをする。なお、各ビーズ片４は、線材回りＢに回転自在としたが、回転しない構造としてもよい。
【００１５】
しかして、上記構成のヘアキャッチャー１の使用時には、枠体２の内側に張り巡らした複数本の線材３によって、図２（ｂ）のように排水中に含まれるヘア９を捕捉しながら、線材３にて区画された通水部５（図１）から排水が排出される。また線材３にヌメリが付着した場合でも、図２（ｃ）〜（ｅ）のように排水時の水流イによって線材３に遊嵌したビーズ片４が線材３の軸方向Ａに移動することで、線材３に付着したヌメリ１０が掻き落とされるようになる。しかも本例では、ビーズ片４が水流イによって線材３の軸方向Ａに移動するだけでなく線材回りＢに回転するので、ビーズ片４によるヌメリ取りが効率よく行われ、通水部５がヌメリ１０によって詰まることがなくなり、結果、線材３によるヘアキャッチ機能を維持しつつ通水能力を高く維持できるものであり、これによりヘアキャッチャー１の手入れの回数を減らすことができると共にヌメリによる悪臭発生も防止でき、清潔に保てるようになる。
【００１６】
一方、ヘアキャッチャー１を排水口８から取り外して手入れをするときは、各線材３に水流を当てて管状のビーズ片４を前後に移動させるようにして水洗いすることにより、各線材３に線材３に付着したヘアをビーズ片４によって掻き落とすことができる。このときヘアキャッチャー１に対して水流が当たる方向を変えることで、各ビーズ片４が前後に移動或いは回転してヘアを掻き落とすので、ビーズ片４を利用してヘア除去を簡単に且つ清潔に行なうことができる。従って、従来のような清掃作業の不快感が解消されると同時に作業の簡素化を図ることができる。
【００１７】
なお、枠体２は円形状に限らず、排水口８の形状に合わせて適宜設計変更することができる。排水口８の形状が四角形状の場合に用いるヘアキャッチャー１の例を図４に示す、図４の例では四角形状をした枠体２内に縦横格子状に複数本の線材３を張り巡らされている。尚、線材３によって複数の通水部５に区画される点、及び、各線材３に管状のビーズ片４を遊嵌した点は、図１の実施形態と同様である。
【００１８】
また、前記実施形態では、ビーズ片４の外周面４ｂを滑らかな円筒面としたが、他の実施形態として図５（ａ）に示すように、外周面４ｂの一部に溝形状部６を外周方向に間隔をあけて複数条形成してもよい。この溝形状部６は水流が当たることでビーズ片４に回転力Ｆを付与して、ビーズ片４をより回転しやすくすることで、線材３に付着したヌメリ取り効果を一層高める働きをする。
【００１９】
溝形状部６の変形例として、図５（ｂ）に示すような波うち溝形状部７を形成してもよい。この波うち溝形状部７は、水流が当たると管状のビーズ片４に回転力Ｆのみならず、線材３の軸方向Ａへの移動力Ｆ１を付与するようになり、これにより、ビーズ片４が水流によってより一層、回転／移動がしやすくなる。
【００２０】
なお、前記実施形態では管状のビーズ片４の形状を円筒形状としたが、必ずしもこれに限らず、例えば外周断面が三角形状をしたそろばん玉状であってもよい。
【図面の簡単な説明】
【００２１】
【図１】本発明の実施形態に用いるヘアキャッチャーの平面図である。
【図２】（ａ）は同上のヘアキャッチャーを排水口に装着した状態の側面図、（ｂ）〜（ｅ）は同上の管状のビーズ片が水流によって移動して線材に付着したヌメリを掻き落とす場合の一例を説明する模式図である。
【図３】同上のヘアキャッチ用の線材に管状のビーズ片を遊嵌した状態の説明図である。
【図４】同上のヘアキャッチャーの枠体を四角形状にした場合の実施形態の説明図である。
【図５】（ａ）は同上のビーズ片の外周面に、線材の軸方向と平行な溝形状部をビーズ片の外周方向に間隔をあけて複数条形成した実施形態の説明図であり、（ｂ）は同上のビーズ片の外周面に波うち溝形状部をビーズ片の外周方向に間隔をあけて複数条形成した実施形態の説明図である。
【符号の説明】
【００２２】
１  ヘアキャッチャー
２  枠体
３  ヘアキャッチ用の線材
４  管状のビーズ片
５  通水部
８  排水口
Ａ  線材の軸方向
Ｂ  線材回り
【図１】
2009052351.tif 000003
【図２】
2009052351.tif 000004
【図３】
2009052351.tif 000005
【図４】
2009052351.tif 000006
【図５】
2009052351.tif 000007